【手続補正書】
【提出日】平成28年12月2日(2016.12.2)
【手続補正１】
【補正対象書類名】特許請求の範囲
【補正対象項目名】全文
【補正方法】変更
【補正の内容】
【特許請求の範囲】
【請求項１】
周縁端部を有するフェースプレートであって、前記周縁端部が成形可能材料を含み、且つ前記周縁端部の一部がカスタマイズ型輪郭端部である、フェースプレートと、
前記フェースプレートに結合される汎用クッションと、
前記汎用クッションが前記フェースプレートのカスタマイズ型輪郭端部に適合するように、前記汎用クッションを前記フェースプレートに結合するカップリングアセンブリと、
を含む、呼吸インターフェースデバイス。
【請求項２】
前記成形可能材料が除去可能材料である、請求項１に記載の呼吸インターフェースデバイス。
【請求項３】
前記フェースプレートのカスタマイズ型輪郭端部が切削加工表面を含む、請求項２に記載の呼吸インターフェースデバイス。
【請求項４】
前記成形可能材料が付加可能材料である、請求項１に記載の呼吸インターフェースデバイス。
【請求項５】
前記フェースプレートが成形部材及び成形部材カップリングデバイスを含み、前記成形部材カップリングデバイスが成形部材を前記フェースプレートに結合する、請求項４に記載の呼吸インターフェースデバイス。
【請求項６】
前記成形部材カップリングデバイスがフェースプレート構成要素及び成形部材構成要素を含み、前記成形部材が近位端及び遠位端を含む本体を含み、前記成形部材カップリングデバイス成形部材構成要素が本体近位端を含む前記成形部材に配置されており、前記成形部材カップリングデバイスフェースプレート構成要素が前記フェースプレート上に配置されている、請求項５に記載の呼吸インターフェースデバイス。
【請求項７】
前記汎用クッションが内側端部及び外側端部を含み、
前記カップリングアセンブリが第１カップリング構成要素及び第２カップリング構成要素を含み、
前記カップリングアセンブリ第１カップリング構成要素が汎用クッション内側端部に隣接して配置されており、
前記カップリングアセンブリ第２カップリング構成要素がフェースプレートに隣接して配置されており、
前記汎用クッション第１カップリング構成要素と前記フェースプレート第２カップリング構成要素とが互いに結合される、
請求項１に記載の呼吸インターフェースデバイス。
【請求項８】
前記汎用クッション第１カップリング構成要素及び前記フェースプレート第２カップリング構成要素が、タングアンドグルーブカップリングアセンブリ、ストラップアンドペグカップリングアセンブリ、弾性スナップカップリングアセンブリ、圧入カップリングアセンブリ及びシースカップリングアセンブリを含む群から選択される、請求項７に記載の呼吸インターフェースデバイス。
【請求項９】
前記汎用クッション第１カップリング構成要素が半径方向延在タングであり、前記フェースプレート第２カップリング構成要素がフェースプレート周縁端部に隣接して配置された半径方向に凹んだグルーブである、請求項７に記載の呼吸インターフェースデバイス。
【請求項１０】
前記汎用クッション第１カップリング構成要素がＬ字型伸長部を含み、前記フェースプレート第２カップリング構成要素がＬ字型伸長部を含む、請求項９に記載の呼吸インターフェースデバイス。
【請求項１１】
前記汎用クッション第１カップリング構成要素が汎用クッション内側端部の周囲に配置された幾つかの組の開口部であり、
開口部の各組が幾つかの開口部を含み、前記開口部が略軸方向の線に配置されており、
前記フェースプレート第２カップリング構成要素が幾つかの半径方向延在突起を含み、
前記汎用クッション第１カップリング構成要素の幾つかの組の開口部と、前記フェースプレート第２カップリング構成要素の幾つかの半径方向延在突起とが実質的に互いに合致するように配置されている、
請求項７に記載の呼吸インターフェースデバイス。
【請求項１２】
前記汎用クッション第１カップリング構成要素が汎用クッション内側端部の周囲に配置された幾つかの半径方向開口部であり、
前記フェースプレート第２カップリング構成要素がフェースプレート周縁端部に隣接して配置された幾つかの半径方向延在ラッチ部材であり、
前記汎用クッション第１カップリング構成要素の幾つかの半径方向開口部と、前記フェースプレート第２カップリング構成要素の幾つかの半径方向延在ラッチ部材とが実質的に互いに合致するように配置されている、
請求項７に記載の呼吸インターフェースデバイス。
【請求項１３】
前記汎用クッション第１カップリング構成要素が軸方向チャネルであり、前記フェースプレート第２カップリング構成要素がフェースプレート周縁端部から軸方向に延在するリッジである、請求項７に記載の呼吸インターフェースデバイス。
【請求項１４】
前記汎用クッションが汎用クッション内側端部と汎用クッション外側端部との間に配置された側壁を含み、
前記汎用クッション側壁が第１の硬度を有する材料から作製され、
前記汎用クッション内側端部が第２の硬度を有する材料から作製され、
第２の硬度を有する前記材料が第１の硬度を有する前記材料よりも硬く、
前記汎用クッション第１カップリング構成要素が汎用クッション内側端部に配置されている、
請求項１３に記載の呼吸インターフェースデバイス。
【請求項１５】
前記汎用クッション第１カップリング構成要素が弾性シース及び半径方向内側延在リブを含み、
前記フェースプレート第２カップリング構成要素が取り付け面及びラッチ面を含み、
前記フェースプレート第２カップリング構成要素取り付け面がフェースプレートの外部表面の一部分であり、
前記フェースプレート第２カップリング構成要素ラッチ面がフェースプレート周縁端部に配置されており、
前記クッション第１カップリング構成要素シースがフェースプレート第２カップリング構成要素取り付け面に結合され、
前記クッション第１カップリング構成要素内側延在リブがフェースプレート第２カップリング構成要素ラッチ面に結合される、
請求項７に記載の呼吸インターフェースデバイス。
【請求項１６】
フェースプレートのカスタマイズ型輪郭端部が汎用クッションに結合される、請求項１に記載の呼吸インターフェースデバイス。
【請求項１７】
カスタマイズ型輪郭端部を含むフェースプレートと、
前記フェースプレートに結合される汎用クッションと、
前記汎用クッションが前記フェースプレートのカスタマイズ型輪郭端部に適合するように前記フェースプレートのカスタマイズ型輪郭端部に隣接して前記汎用クッションを前記フェースプレートに結合するカップリングアセンブリと、
を含む、呼吸インターフェースデバイス。
【請求項１８】
前記汎用クッションが内側端部及び外側端部を含み、
前記カップリングアセンブリが第１カップリング構成要素及び第２カップリング構成要素を含み、
前記カップリングアセンブリ第１カップリング構成要素が前記汎用クッション内側端部に隣接して配置されており、
前記カップリングアセンブリ第２カップリング構成要素が前記フェースプレート上に配置されており、
前記汎用クッション第１カップリング構成要素と前記フェースプレート第２カップリング構成要素とが互いに結合されている、
請求項１７に記載の呼吸インターフェースデバイス。
【請求項１９】
前記汎用クッション第１カップリング構成要素及び前記フェースプレート第２カップリング構成要素が、タングアンドグルーブカップリングアセンブリ、ストラップアンドペグカップリングアセンブリ、弾性スナップカップリングアセンブリ、圧入カップリングアセンブリ、及びシースカップリングアセンブリを含む群から選択される、請求項１８に記載の呼吸インターフェースデバイス。
【請求項２０】
フェースプレートのカスタマイズ型輪郭端部を有するフェースプレートを含む呼吸インターフェースデバイスを製造する方法であって、
使用者の顔の３Ｄ表面プロファイルを取得するステップと、
前記使用者の顔に対するフェースプレートプロファイルを決定するステップと、
周縁端部を含む汎用フェースプレートを用意するステップであって、フェースプレート周縁端部が成形可能材料を含む、ステップと、
前記フェースプレート周縁端部成形可能材料の一部を、フェースプレートが前記使用者の顔に対する前記フェースプレートプロファイルに実質的に一致し、それによって、フェースプレートのカスタマイズ型輪郭端部を作製するまで形成するステップと、
汎用クッションをフェースプレートのカスタマイズ型輪郭端部に結合するステップと、
を含む、方法。
【請求項２１】
汎用クッションをフェースプレートのカスタマイズ型輪郭端部に結合する前記ステップが、前記汎用クッションを前記フェースプレートのカスタマイズ型輪郭端部に適合させるステップを含む、請求項２０に記載の方法。
【請求項２２】
汎用クッションをフェースプレートのカスタマイズ型輪郭端部に結合する前記ステップが、タングアンドグルーブカップリングアセンブリ、ストラップアンドペグカップリングアセンブリ、弾性スナップカップリングアセンブリ、圧入カップリングアセンブリ、及びシースカップリングアセンブリを含む群から選択されたカップリングアセンブリを用いる、請求項２０に記載の方法。
【請求項２３】
フェースプレート周縁端部成形可能材料の一部を、フェースプレートが前記使用者の顔に対する前記フェースプレートプロファイルに実質的に一致し、それによって、フェースプレートのカスタマイズ型輪郭端部を作製するまで形成する前記ステップが、フェースプレート周縁端部成形可能材料を切削加工するステップを含む、請求項２０に記載の方法。
【請求項２４】
フェースプレート周縁端部成形可能材料の一部を、フェースプレートが前記使用者の顔に対する前記フェースプレートプロファイルに実質的に一致し、それによって、フェースプレートのカスタマイズ型輪郭端部を作製するまで形成する前記ステップが、付加可能材料をフェースプレート周縁端部に付加するステップを含む、請求項２０に記載の方法。